(57)【要約】      （修正有）【課題】移動局及び基地局の間の通信品質の変化に応じて、リアルタイムに基地局を制御するための装置、方法及びプログラムを提供する。【解決手段】ＴＣＰ最適化装置１００の輻輳判定機能部は、通信品質情報Ｂに基づいて、移動局２００及び基地局３００の間の通信に輻輳が生じているか否かを判定する。基地局算出機能部は、輻輳判定機能部により輻輳が生じていると判定されたとき、移動局収容情報Ａに基づいて、注目移動局の収容セル及び隣接セルをセル情報として算出する。基地局制御機能部は、注目基地局２００及び隣接基地局３００に対応する基地局情報Ｃを収集し、収集した基地局情報Ｃに基づいて、注目基地局３００又は隣接基地局３００が移動局２００に送信する際の電波強度をオペレーションシステム４００により制御するための制御信号を生成する。送信部は、制御信号をオペレーションシステム４００に送信する。【選択図】図２
2016225788.tif 000002
【特許請求の範囲】
【請求項１】
移動局と、前記移動局との間で通信を行う基地局と、前記基地局を制御するオペレーションシステムとに接続された通信最適化装置であって、
前記移動局が収容されているセルである収容セル、および前記収容セルに隣接するセルである隣接セルの情報を含む移動局収容情報とを、前記移動局から受信するとともに、前記移動局および前記基地局の間の通信品質に関する通信品質情報と、前記基地局が前記移動局に送信する際の電波強度に関する情報を含む基地局情報を前記基地局から受信する受信部と、
前記通信品質情報に基づいて、前記移動局および前記基地局の間の通信に輻輳が生じているか否かを判定する輻輳判定機能部と、
前記輻輳判定機能部により輻輳が生じていると判定されたとき、前記移動局収容情報に基づいて、前記輻輳が生じている移動局である注目移動局の前記収容セルおよび前記隣接セルをセル情報として算出する基地局算出機能部と、
前記基地局算出機能部により算出された前記セル情報に含まれる前記収容セルおよび前記隣接セルに配置された基地局である注目基地局および隣接基地局に対応する前記基地局情報を収集し、前記基地局情報に基づいて、前記注目基地局または前記隣接基地局が前記移動局に送信する際の電波強度を前記オペレーションシステムにより制御するための制御信号を生成する基地局制御機能部と、
前記基地局制御機能部により生成された前記制御信号を前記オペレーションシステムに送信する送信部とを備えた通信最適化装置。
【請求項２】
移動局と、前記移動局との間で通信を行う基地局と、前記基地局を制御するオペレーションシステムと、前記移動局、前記基地局および前記オペレーションシステムに接続された通信最適化装置とを有する通信システムであって、
前記通信最適化装置は、
前記移動局が収容されているセルである収容セル、および前記収容セルに隣接するセルである隣接セルの情報を含む移動局収容情報とを、前記移動局から受信するとともに、前記移動局および前記基地局の間の通信品質に関する通信品質情報と、前記基地局が前記移動局に送信する際の電波強度に関する情報を含む基地局情報を前記基地局から受信する受信部と、
前記通信品質情報に基づいて、前記移動局および前記基地局の間の通信に輻輳が生じているか否かを判定する輻輳判定機能部と、
前記輻輳判定機能部により輻輳が生じていると判定されたとき、前記移動局収容情報に基づいて、前記輻輳が生じている移動局である注目移動局の前記収容セルおよび前記隣接セルをセル情報として算出する基地局算出機能部と、
前記基地局算出機能部により算出された前記セル情報に含まれる前記収容セルおよび前記隣接セルに配置された基地局である注目基地局および隣接基地局に対応する前記基地局情報を収集し、収集した基地局情報に基づいて、前記注目基地局または前記隣接基地局が前記移動局に送信する際の電波強度を前記オペレーションシステムにより制御するための制御信号を生成する基地局制御機能部と、
前記基地局制御機能部により生成された前記制御信号を前記オペレーションシステムに送信する送信部とを備えた通信システム。
【請求項３】
移動局と、前記移動局との間で通信を行う基地局と、前記基地局を制御するオペレーションシステムとに接続された通信最適化装置の通信最適化制御方法であって、
前記移動局が収容されているセルである収容セル、および前記収容セルに隣接するセルである隣接セルの情報を含む移動局収容情報とを、前記移動局から受信するとともに、前記移動局および前記基地局の間の通信品質に関する通信品質情報と、前記基地局が前記移動局に送信する際の電波強度に関する情報を含む基地局情報を前記基地局から受信する受信ステップと、
前記通信品質情報に基づいて、前記移動局および前記基地局の間の通信に輻輳が生じているか否かを判定する輻輳判定ステップと、
前記輻輳判定ステップで輻輳が生じていると判定されたとき、前記移動局収容情報に基づいて、前記輻輳が生じている移動局である注目移動局の前記収容セルおよび前記隣接セルをセル情報として算出する基地局算出ステップと、
前記基地局算出ステップにより算出された前記セル情報に含まれる前記収容セルおよび前記隣接セルに配置された基地局である注目基地局および隣接基地局に対応する前記基地局情報を収集し、前記基地局情報に基づいて、前記注目基地局または前記隣接基地局が前記移動局に送信する際の電波強度を前記オペレーションシステムにより制御するための制御信号を生成する基地局制御ステップと、
前記基地局制御ステップにより生成された前記制御信号を前記オペレーションシステムに送信する送信ステップとを含む通信最適化方法。
【請求項４】
移動局と、前記移動局との間で通信を行う基地局と、前記基地局を制御するオペレーションシステムとに接続された通信最適化装置の通信最適化を制御するプログラムであって、
前記移動局が収容されているセルである収容セル、および前記収容セルに隣接するセルである隣接セルの情報を含む移動局収容情報とを、前記移動局から受信するとともに、前記移動局および前記基地局の間の通信品質に関する通信品質情報と、前記基地局が前記移動局に送信する際の電波強度に関する情報を含む基地局情報を前記基地局から受信する受信ステップと、
前記通信品質情報に基づいて、前記移動局および前記基地局の間の通信に輻輳が生じているか否かを判定する輻輳判定ステップと、
前記輻輳判定ステップで輻輳が生じていると判定されたとき、前記移動局収容情報に基づいて、前記輻輳が生じている移動局である注目移動局の前記収容セルおよび前記隣接セルをセル情報として算出する基地局算出ステップと、
前記基地局算出ステップにより算出された前記セル情報に含まれる前記収容セルおよび前記隣接セルに配置された基地局である注目基地局および隣接基地局に対応する前記基地局情報を収集し、前記基地局情報に基づいて、前記注目基地局または前記隣接基地局が前記移動局に送信する際の電波強度を前記オペレーションシステムにより制御するための制御信号を生成する基地局制御ステップと、
前記基地局制御ステップにより生成された前記制御信号を前記オペレーションシステムに送信する送信ステップとを含む処理をコンピュータに行わせる通信最適化プログラム。
【発明の詳細な説明】
【技術分野】
【０００１】
本発明は、通信最適化装置等に関し、例えば、移動局と、移動局との間で通信を行う基地局と、基地局を制御するオペレーションシステムに接続されたものに関する。
【背景技術】
【０００２】
一般的な通信システムでは、基地局の保守者が、問い合わせ内容（状況）および当該保守者の経験に基づいて、基地局を制御するための制御パラメータを手動で決定する方法が、広く知られている。また、シミュレーションに基づいて、最適と思われる制御パラメータを算出する方法も広く知られている（たとえば、特許文献１）。
【先行技術文献】
【特許文献】
【０００３】
【特許文献１】特開２００９−２３２０４１号公報
【発明の概要】
【発明が解決しようとする課題】
【０００４】
しかしながら、上述した一般的な通信システムでは、移動局および基地局の間の通信品質の変化に応じて、リアルタイムに基地局を制御することができないという問題があった。
【０００５】
本発明は、このような事情を鑑みてなされたものであり、本発明の目的は、移動局および基地局の間の通信品質の変化に応じて、リアルタイムに基地局を制御することができる通信最適化装置等を提供することにある。
【課題を解決するための手段】
【０００６】
本発明の通信最適化装置は、移動局と、前記移動局との間で通信を行う基地局と、前記基地局を制御するオペレーションシステムとに接続された通信最適化装置であって、前記移動局が収容されているセルである収容セル、および前記収容セルに隣接するセルである隣接セルの情報を含む移動局収容情報とを、前記移動局から受信するとともに、前記移動局および前記基地局の間の通信品質に関する通信品質情報と、前記基地局が前記移動局に送信する際の電波強度に関する情報を含む基地局情報を前記基地局から受信する受信部と、前記通信品質情報に基づいて、前記移動局および前記基地局の間の通信に輻輳が生じているか否かを判定する輻輳判定機能部と、前記輻輳判定機能部により輻輳が生じていると判定されたとき、前記移動局収容情報に基づいて、前記輻輳が生じている移動局である注目移動局の前記収容セルおよび前記隣接セルをセル情報として算出する基地局算出機能部と、前記基地局算出機能部により算出された前記セル情報に含まれる前記収容セルおよび前記隣接セルに配置された基地局である注目基地局および隣接基地局に対応する前記基地局情報を収集し、収集した基地局情報に基づいて、前記注目基地局または前記隣接基地局が前記移動局に送信する際の電波強度を前記オペレーションシステムにより制御するための制御信号を生成する基地局制御機能部と、前記基地局制御機能部により生成された前記制御信号を前記オペレーションシステムに送信する送信部とを備えている。
【０００７】
また、本発明の通信システムは、移動局と、前記移動局との間で通信を行う基地局と、前記基地局を制御するオペレーションシステムと、前記移動局、前記基地局および前記オペレーションシステムに接続された通信最適化装置とを有する通信システムであって、前記通信最適化装置は、前記移動局が収容されているセルである収容セル、および前記収容セルに隣接するセルである隣接セルの情報を含む移動局収容情報とを、前記移動局から受信するとともに、前記移動局および前記基地局の間の通信品質に関する通信品質情報と、前記基地局が前記移動局に送信する際の電波強度に関する情報を含む基地局情報を前記基地局から受信する受信部と、前記通信品質情報に基づいて、前記移動局および前記基地局の間の通信に輻輳が生じているか否かを判定する輻輳判定機能部と、前記輻輳判定機能部により輻輳が生じていると判定されたとき、前記移動局収容情報に基づいて、前記輻輳が生じている移動局である注目移動局の前記収容セルおよび前記隣接セルをセル情報として算出する基地局算出機能部と、前記基地局算出機能部により算出された前記セル情報に含まれる前記収容セルおよび前記隣接セルに配置された基地局である注目基地局および隣接基地局に対応する前記基地局情報を収集し、収集した基地局情報に基づいて、前記注目基地局または前記隣接基地局が前記移動局に送信する際の電波強度を前記オペレーションシステムにより制御するための制御信号を生成する基地局制御機能部と、前記基地局制御機能部により生成された前記制御信号を前記オペレーションシステムに送信する送信部とを備えている。
【０００８】
本発明の通信最適化方法は、移動局と、前記移動局との間で通信を行う基地局と、前記基地局を制御するオペレーションシステムとに接続された通信最適化装置の通信最適化制御方法であって、前記移動局が収容されているセルである収容セル、および前記収容セルに隣接するセルである隣接セルの情報を含む移動局収容情報とを、前記移動局から受信するとともに、前記移動局および前記基地局の間の通信品質に関する通信品質情報と、前記基地局が前記移動局に送信する際の電波強度に関する情報を含む基地局情報を前記基地局から受信する受信ステップと、前記通信品質情報に基づいて、前記移動局および前記基地局の間の通信に輻輳が生じているか否かを判定する輻輳判定ステップと、前記輻輳判定ステップで輻輳が生じていると判定されたとき、前記移動局収容情報に基づいて、前記輻輳が生じている移動局である注目移動局の前記収容セルおよび前記隣接セルをセル情報として算出する基地局算出ステップと、前記基地局算出ステップにより算出された前記セル情報に含まれる前記収容セルおよび前記隣接セルに配置された基地局である注目基地局および隣接基地局に対応する前記基地局情報を収集し、前記基地局情報に基づいて、前記注目基地局または前記隣接基地局が前記移動局に送信する際の電波強度を前記オペレーションシステムにより制御するための制御信号を生成する基地局制御ステップと、前記基地局制御ステップにより生成された前記制御信号を前記オペレーションシステムに送信する送信ステップとを含んでいる。
【０００９】
本発明の通信最適化プログラムは、移動局と、前記移動局との間で通信を行う基地局と、前記基地局を制御するオペレーションシステムとに接続された通信最適化装置の通信最適化を制御するプログラムであって、前記移動局が収容されているセルである収容セル、および前記収容セルに隣接するセルである隣接セルの情報を含む移動局収容情報とを、前記移動局から受信するとともに、前記移動局および前記基地局の間の通信品質に関する通信品質情報と、前記基地局が前記移動局に送信する際の電波強度に関する情報を含む基地局情報を前記基地局から受信する受信ステップと、前記通信品質情報に基づいて、前記移動局および前記基地局の間の通信に輻輳が生じているか否かを判定する輻輳判定ステップと、前記輻輳判定ステップで輻輳が生じていると判定されたとき、前記移動局収容情報に基づいて、前記輻輳が生じている移動局である注目移動局の前記収容セルおよび前記隣接セルをセル情報として算出する基地局算出ステップと、前記基地局算出ステップにより算出された前記セル情報に含まれる前記収容セルおよび前記隣接セルに配置された基地局である注目基地局および隣接基地局に対応する前記基地局情報を収集し、前記基地局情報に基づいて、前記注目基地局または前記隣接基地局が前記移動局に送信する際の電波強度を前記オペレーションシステムにより制御するための制御信号を生成する基地局制御ステップと、前記基地局制御ステップにより生成された前記制御信号を前記オペレーションシステムに送信する送信ステップとを含む処理をコンピュータに行わせる。
【発明の効果】
【００１０】
本発明にかかる通信最適化装置等によれば、移動局および基地局の間の通信品質の変化に応じて、リアルタイムに基地局を制御することができる。
【図面の簡単な説明】
【００１１】
【図１】本発明の実施の形態におけるＴＣＰ（Transmission Control Protocol：伝送制御プロトコル）最適化装置の構成を示すブロック図である。
【図２】本発明の実施の形態における通信システムの構成を示すブロック図である。
【図３】本発明の実施の形態における通信システムの動作フローを示す図である。
【発明を実施するための形態】
【００１２】
＜実施の形態＞
本発明の実施の形態におけるＴＣＰ最適化装置１００の構成について説明する。まず、説明の便宜上、ＴＣＰ最適化装置１００を含む通信システム１０００の構成を説明してから、ＴＣＰ最適化装置１００の構成を詳しく説明する。なお、ＴＣＰ最適化装置１００は、本発明の通信最適化装置に対応する。
【００１３】
図１は、ＴＣＰ最適化装置１００の構成を示すブロック図である。図２は、通信システム１０００の構成を示すブロック図である。
【００１４】
図２に示されるように、通信システム１０００は、ＴＣＰ最適化装置１００と、複数の移動局２００と、複数の基地局３００と、オペレーションシステム４００とを備えている。ＴＣＰ最適化装置１００は、Media Optimizerとも呼ばれる。なお、日本全国には、複数のセルが設定されており、複数の基地局３００の各々は、各セルに配置されている。複数の移動局２００は、基地局３００が配置された複数のセルのいずれかに配置され、互いに隣接するセル間を移動することもある。なお、図２では、便宜上、１つの基地局３００と、この基地局２００が配置されたセル内に配置された１つの移動局２００が示されている。
【００１５】
図２に示されるように、ＴＣＰ最適化装置１００は、基地局３００に、コア通信網５００を介して、有線または無線により、通信接続されている。また、ＴＣＰ最適化装置１００は、移動局２００に、コア通信網５００および基地局３００を介して、有線または無線により、通信接続されている。さらに、ＴＣＰ最適化装置１００は、オペレーションシステム４００に、有線または無線により、通信接続されている。また、ＴＣＰ最適化装置１００は、オペレーションシステム４００を介して、基地局３００に、有線または無線により、通信接続されている。また、ＴＣＰ最適化装置１００は、インターネット６００にも有線また無線により通信接続されている。
【００１６】
ＴＣＰ最適化装置１００は、移動局収容情報Ａを、基地局３００およびコア通信網５００を介して、移動局２００から受信する。この移動局収容情報Ａとは、収容セルと、収容セルに隣接するセルである隣接セルの情報を含む情報である。収容セルとは、移動局２００が収容されているセルである。
【００１７】
ＴＣＰ最適化装置１００は、通信品質情報Ｂを、コア通信網５００を介して、基地局２００から受信する。通信品質情報Ｂは、移動局２００および基地局３００の間の通信品質に関する情報である。通信品質情報Ｂは、たとえば、移動局２００および基地局３００の間の通信のスループットや遅延時間に関する情報である。
【００１８】
ＴＣＰ最適化装置１００は、基地局情報Ｃを、オペレーションシステム４０を介して、基地局３００から受信する。基地局情報Ｃとは、基地局３００が移動局２００に送信する際の電波強度に関する情報を含む情報である。ＴＣＰ最適化装置１００は、全国基地局位置情報Ｄをオペレーションシステム４００から受信する。全国基地局位置情報Ｄとは、日本全国中の基地局３００の位置（たとえば、経度および緯度）に関する情報である。
【００１９】
図２に示されるように、移動局２００は、基地局３００に、有線または無線により通信接続されている。また、移動局２００は、基地局３００およびコア通信網５００を介して、ＴＣＰ最適化装置１００に通信接続されている。移動局２００は、基地局３００を介して、オペレーションシステム４００に通信接続されている。
【００２０】
移動局２００は、前述の移動局収容情報Ａを、基地局３００およびコア通信網５００を介して、ＴＣＰ最適化装置１００へ送信する。
【００２１】
図２に示されるように、基地局３００は、移動局２００に、有線または無線により通信接続されている。また、基地局３００は、コア通信網５００を介して、ＴＣＰ最適化装置１００に通信接続されている。さらに、基地局３００は、オペレーションシステム４００に、有線または無線により通信接続されている。基地局３００は、オペレーションシステム４００を介して、ＴＣＰ最適化装置１００に通信接続されている。各基地局３００は、所定のセルに配置され、移動局２００との間で通信を行う。
【００２２】
基地局３００は、前述の通信品質情報Ｂを、ＴＣＰ最適化装置１００へ送信する。また、基地局３００は、基地局情報Ｃを、オペレーションシステム４００を介して、ＴＣＰ最適化装置１００へ送信する。
【００２３】
図２に示されるように、オペレーションシステム４００は、基地局３００に、有線または無線により通信接続されている。また、オペレーションシステム４００は、ＴＣＰ最適化装置１００に、有線または無線により通信接続されている。オペレーションシステム４００は、前述の基地局情報Ｃ等に基づいて、基地局３００を制御する。
【００２４】
オペレーションシステム４００は、基地局３００から基地局情報Ｃを受信して、この基地局情報ＣをＴＣＰ最適化装置１００へ送信する。また、オペレーションシステム４００は、前述の全国基地局位置情報ＤをＴＣＰ最適化装置１００へ送信する。
【００２５】
図２に示されるように、コア通信網５００は、基地局３００およびＴＣＰ最適化装置１００の間を、有線または無線により通信接続する。
【００２６】
図２に示されるように、インターネット６００は、ＴＣＰ最適化装置１００に、有線または無線により通信接続されている。
【００２７】
つぎに、ＴＣＰ最適化装置１００の構成について、図１を用いて詳しく説明する。
【００２８】
図１に示されるように、ＴＣＰ最適化装置１００は、ＯＰＳ（Open Profiling Standard）インターフェイス機能部１１０と、輻輳判定機能部１２０と、基地局算出機能部１３０と、基地局制御機能部１４０と、基地局情報記憶部１５０と、全国基地局位置情報記憶部１６０とを備えている。
【００２９】
図１に示されるように、ＯＰＳインターフェイス機能部１１０は、基地局制御機能部１４０に接続されている。ＯＰＳインターフェイス機能部１１０は、移動局２００、基地局３００、オペレーションシステム４００およびインターネット６００との間で、情報通信を行う。インターフェイス機能部１１０は、受信部１１１と、送信部１１２とを備えている。
【００３０】
受信部１１１は、前述の移動局収容情報Ａを、移動局２００から受信する。より具体的には、受信部１１１は、移動局収容情報Ａを、基地局３００およびコア通信網５００を介して、移動局２００から受信する。
【００３１】
また、受信部１１１は、通信品質情報Ｂおよび基地局情報Ｃを、基地局３００から受信する。より具体的には、受信部１１１は、通信品質情報Ｂを、コア通信網５００を介して、基地局３００から受信する。また、受信部１１１は、基地局情報Ｃを、オペレーションシステム４００を介して、基地局３００から受信する。
【００３２】
送信部１１２は、基地局制御機能部１３０により生成される後述の制御信号をオペレーションシステム４００に送信する。
【００３３】
図１に示されるように、輻輳判定機能部１２０は、基地局算出機能部１３０に接続されている。輻輳判定機能部１２０は、前述の通信品質情報Ａに基づいて、移動局２００および基地局３００の間の通信に輻輳が生じているか否かを判定する。
【００３４】
図１に示されるように、基地局算出機能部１３０は、輻輳判定機能部１２０、基地局制御機能部１４０、基地局情報記憶部１５０および全国基地局位置情報記憶部１６０に、接続されている。輻輳判定機能部１２０により輻輳が生じている判定されたとき、基地局算出機能部１３０は、前述の移動局収容情報Ａに基づいて、輻輳が生じている移動局２００である注目移動局の収容セルおよび隣接セルを、セル情報として算出する。
【００３５】
図１に示されるように、基地局制御機能部１４０は、ＯＰＳインターフェイス機能部１１０、基地局算出機能部１３０、基地局情報記憶部１５０および全国基地局位置情報記憶部１６０に、接続されている。基地局制御機能部１４０は、注目基地局および隣接基地局に対応する基地局情報Ｃを収集する。なお、注目基地局は、基地局算出機能部１３０により算出されたセル情報に含まれる収容セルを有する基地局３００である。隣接基地局は、基地局算出機能部１３０により算出されたセル情報に含まれる隣接セルを有する基地局３００である。そして、基地局制御機能部１４０は、基地局情報Ｃに基づいて、制御信号を生成する。この制御信号は、注目基地局３００または隣接基地局３００が移動局２００に送信する際の電波強度をオペレーションシステム４００により制御するための信号である。より具体的には、制御信号には、注目基地局３００が、当該注目基地局３００が配置されたセル内に配置された移動局２００に送信する際の電波強度を、オペレーションシステム４００により制御するための信号、または、隣接基地局３００が、当該隣接基地局３００が配置されたセル内に配置された移動局２００に送信する際の電波強度を、オペレーションシステム４００により制御するための信号が、含まれている。
【００３６】
図１に示されるように、基地局情報記憶部１５０は、基地局算出機能部１３０、基地局制御機能部１４０および全国基地局位置情報記憶部１６０に、接続されている。基地局情報記憶部１５０には、前述の基地局情報Ｃが記憶されている。たとえば、ＴＣＰ最適化装置１００が起動された時に、受信部１１１が基地局情報Ｃを基地局３００から受信する。なお、受信部１１１が基地局情報Ｃを基地局３００から定期的に受信してもよい。ＯＰＳインターフェイス機能部１１０は、受信部１１１により受信された基地局情報Ｃを、基地局制御機能部１４０を介して、基地局情報記憶部１５０へ入力する。これにより、基地局情報Ｃが、基地局情報記憶部１５０に記憶される。
【００３７】
図１に示されるように、全国基地局位置情報記憶部１６０は、基地局算出機能部１３０、基地局制御機能部１４０および基地局情報記憶部１５０に、接続されている。全国基地局位置情報記憶部１６０には、前述の全国基地局位置情報Ｄが保存されている。たとえば、ＴＣＰ最適化装置１００を起動された時に、受信部１１１が全国基地局位置情報Ｄを基地局３００から受信する。なお、受信部１１１が全国基地局位置情報Ｄを基地局３００から定期的に受信してもよい。ＯＰＳインターフェイス機能部１１０は、受信部１１１により受信された全国基地局位置情報Ｄを、基地局制御機能部１４０を介して、全国基地局位置情報記憶部１６０へ入力する。これにより、全国基地局位置情報Ｄが、全国基地局位置情報記憶部１６０に保存される。
【００３８】
以上、ＴＣＰ最適化装置１００および通信システム１０００の構成について説明した。
【００３９】
次に、通信システム１０００の動作について説明する。図３は、通信システム１０００の動作フローを示す図である。
【００４０】
図３に示されるように、まず、ＴＣＰ最適化装置１００が起動されると、ＴＣＰ最適化装置１００は、オペレーションシステム４００から、全国基地局位置情報Ｄを取得する（ステップ（ＳＴＥＰ：以下、ＳＴとする）１）。より具体的には、ＴＣＰ最適化装置１００が起動されると、ＴＣＰ最適化装置１００の受信部１１１が、オペレーションシステム４００から、全国基地局位置情報Ｄを受信する。そして、ＯＰＳインターフェイス機能部１１０は、受信部１１１により受信された全国基地局位置情報Ｄを、基地局制御機能部１４０を介して、全国基地局位置情報記憶部１６０へ入力する。これにより、全国基地局位置情報Ｄが、全国基地局位置情報記憶部１６０に保存される。
【００４１】
次に、移動局２００は、インターネット通信を実施する（ＳＴ２）。より具体的には、移動局２００は、基地局２００、コア通信網５００およびＴＣＰ最適化装置１００を介して、インターネット６００に接続する。これにより、移動局２００は、インターネット通信を行える。
【００４２】
次に、ＴＣＰ最適化装置１００は、通信品質情報Ｂを取得する（ＳＴ３）。より具体的には、受信部１１１が、通信品質情報Ｂを、基地局３００から受信する。すなわち、受信部１１１は、通信品質情報Ｂを、コア通信網５００を介して、基地局３００から受信する。なお、前述の通り、通信品質情報Ｂは、たとえば、移動局２００および基地局３００の間の通信のスループットや遅延時間に関する情報である。
【００４３】
ＴＣＰ最適化装置１００は、移動局２００および基地局３００の間の通信に輻輳が生じているか否かを判定する（ＳＴ４）。より具体的には、ＴＣＰ最適化装置１００の輻輳判定機能部１２０が、前述の通信品質情報Ｂに基づいて、移動局２００および基地局３００の間の通信に輻輳が生じているか否かを判定する。これにより、移動局２００および基地局３００の間の通信品質が劣化しているか否かを判断できる。
【００４４】
移動局２００および基地局３００の間の通信に輻輳が生じていると、輻輳判定機能部１２０により、判定された場合（ＳＴ４、ＹＥＳ）、ＴＣＰ最適化装置１００はＳＴ５の処理を行う。
【００４５】
一方、移動局２００および基地局３００の間の通信に輻輳が生じていると、輻輳判定機能部１２０により、判定された場合（ＳＴ４、ＮＯ）、ＴＣＰ最適化装置１００はＳＴ３の処理を再び行う。
【００４６】
次に、基地局制御部１００は、注目移動局（輻輳が生じている移動局）の収容セル、およびこの収容セルに隣接する隣接セルをセル情報として算出する（ＳＴ５）。より具体的には、輻輳判定機能部１２０により輻輳が生じていると判定されたとき、基地局制御部１００の基地局算出機能部１４０が、移動局収容情報Ａに基づいて、輻輳が生じている移動局である注目移動局の収容セルおよび隣接セルをセル情報として算出する。なお、前述の通り、移動局収容情報Ａとは、収容セルと、収容セルに隣接するセルである隣接セルの情報を含む情報である。収容セルとは、基地局３００の複数のセルの中で移動局２００が収容されているセルである。
【００４７】
ＴＣＰ最適化装置１００は、注目基地局２００に対応する基地局情報Ｃを収集する（ＳＴ６）。注目基地局２００は、前述の通り、基地局算出機能部１４０により算出されたセル情報に含まれる収容セルを有する基地局２００である。より具体的には、受信部１１１が、注目基地局２００に対応する基地局情報Ｃを、オペレーションシステム４００を介して、基地局３００から受信する。ＯＰＳインターフェイス機能部１１０は、注目基地局２００に対応する基地局情報Ｃを、基地局制御機能部１４０に入力する。これにより、基地局制御機能部１４０は、注目基地局２００に対応する基地局情報Ｃを収集することができる。
【００４８】
次に、ＴＣＰ最適化装置１００は、隣接基地局２００に対応する基地局情報Ｃを収集する（ＳＴ６）。隣接基地局２００は、前述の通り、基地局算出機能部１４０により算出されたセル情報に含まれる隣接セルを有する基地局２００である。より具体的には、受信部１１１が、隣接基地局２００に対応する基地局情報Ｃを、オペレーションシステム４００を介して、基地局３００から受信する。ＯＰＳインターフェイス機能部１１０は、隣接基地局２００に対応する基地局情報Ｃを、基地局制御機能部１４０に入力する。これにより、基地局制御機能部１４０は、隣接基地局３００に対応する基地局情報Ｃを収集することができる。
【００４９】
次に、ＴＣＰ最適化装置１００は、注目基地局３００および隣接基地局３００に対応する基地局情報Ｃに基づいて、制御信号を生成する（ＳＴ８）。より具体的には、ＴＣＰ最適化装置１００の基地局制御機能部１４０が、注目基地局３００および隣接基地局３００に対応する基地局情報Ｃに基づいて、制御信号を生成する。この制御信号は、前述の通り、注目基地局２００または隣接基地局２００が移動局３００に送信する際の電波強度をオペレーションシステム４００により制御するための信号である。制御信号は、たとえば、注目基地局２００または隣接基地局２００が移動局３００に送信する際の電波強度を大きくするように、オペレーションシステム４００により制御するための信号である。なお、この制御信号は、注目基地局２００および隣接基地局２００の双方が移動局３００に送信する際の電波強度をオペレーションシステム４００により制御するための信号であってもよい。
【００５０】
ＴＣＰ最適化装置１００は、基地局制御機能部により生成された制御信号をオペレーションシステム４００に送信する（ＳＴ９）。より具体的には、ＴＣＰ最適化装置１００の送信部が、基地局制御機能部により生成された制御信号をオペレーションシステム４００に送信する。そして、オペレーションシステム４００は、制御信号に基づいて、基地局を制御する。
【００５１】
なお、ＴＣＰ最適化装置１００が起動し、移動局２００がインターネット通信を実施している限り、ＳＴ３〜ＳＴ９の処理を繰り返す。
【００５２】
以上の通り、本発明の実施の形態におけるＴＣＰ最適化装置１００（通信最適化装置）は、移動局２００と、移動局２００との間で通信を行う基地局３００と、基地局３００を制御するオペレーションシステム４００とに接続された装置である。
【００５３】
ＴＣＰ最適化装置１００は、受信部１１１と、輻輳判定機能部１２０と、基地局算出機能部１３０と、基地局制御機能部１４０と、送信部１１２とを備えている。
【００５４】
受信部１１１は、移動局収容情報Ａを前記移動局から受信するとともに、通信品質情報Ｂと基地局情報Ｃを基地局から受信する。移動局収容情報Ａは、移動局２００が収容されているセルである収容セル、および収容セルに隣接するセルである隣接セルの情報を含む。通信品質情報Ｂは、移動局２００および基地局３００の間の通信品質に関する情報である。基地局情報Ｃは、基地局３００が移動局２００に送信する際の電波強度に関する情報である。
【００５５】
輻輳判定機能部１２０は、通信品質情報Ｂに基づいて、移動局２００および基地局３００の間の通信に輻輳が生じているか否かを判定する。
【００５６】
基地局算出機能部１３０は、輻輳判定機能部１２０により輻輳が生じていると判定されたとき、移動局収容情報Ａに基づいて、輻輳が生じている移動局である注目移動局の収容セルおよび隣接セルをセル情報として算出する。
【００５７】
基地局制御機能部１４０は、注目基地局２００および隣接基地局３００に対応する基地局情報Ｃを収集し、収集した基地局情報Ｃに基づいて、制御信号を生成する。注目基地局２００は、基地局算出機能部１３０により算出されたセル情報に含まれる収容セルに配置された基地局である。隣接基地局３００は、基地局算出機能部１３０により算出されたセル情報に含まれる隣接セルに配置された基地局である。制御信号は、注目基地局３００または隣接基地局３００が移動局２００に送信する際の電波強度をオペレーションシステム４００により制御するための信号である。
【００５８】
送信部１１２は、基地局制御機能部１４０により生成された制御信号をオペレーションシステム４００に送信する。
【００５９】
このように、輻輳判定機能部１２０は、通信品質情報Ｂに基づいて、移動局２００および基地局３００の間の通信に輻輳が生じているか否かを判定する。また、基地局算出機能部１３０は、輻輳判定機能部１２０により輻輳が生じていると判定されたとき、移動局収容情報Ａに基づいて、輻輳が生じている移動局である注目移動局の収容セルおよび隣接セルをセル情報として算出する。また、基地局制御機能部１４０は、注目基地局２００および隣接基地局３００に対応する基地局情報Ｃを収集し、収集した基地局情報Ｃに基づいて、制御信号を生成する。そして、送信部１１２は、基地局制御機能部１４０により生成された制御信号をオペレーションシステム４００に送信する。したがって、ＴＣＰ最適化装置１００は、通信品質情報Ｂ、移動局収容情報Ａおよび基地局情報Ｃを常時取得し、これらの情報に従って、注目基地局３００または隣接基地局３００が移動局２００に送信する際の電波強度をオペレーションシステム４００により制御するための制御信号を生成し、オペレーションシステム４００に送信する。この結果、ＴＣＰ最適化装置１００によれば、移動局２００および基地局３００の間の通信品質の変化に応じて、リアルタイムに基地局３００を制御することができる。
【００６０】
これに対して、背景技術で説明した通信システムでは、電波強度の改善を定期的に行っていた。ＴＣＰ最適化装置１００では、通信品質情報Ｂ、移動局収容情報Ａおよび基地局情報Ｃを常時取得しているので、背景技術で説明した通信システムと比較して、より精度よく、リアルタイムに基地局３００を制御することができる。
【００６１】
また、本発明の実施の形態における通信システム１０００は、移動局２００と、基地局３００と、オペレーションシステム４００と、ＴＣＰ最適化装置（通信最適化装置）１００とを有する。基地局３００は、移動局２００との間で通信を行う。オペレーションシステム４００は、基地局３００を制御する。ＴＣＰ最適化装置１００は、移動局２００、基地局３００およびオペレーションシステム４００に接続されている。
【００６２】
ＴＣＰ最適化装置１００は、受信部１１１と、輻輳判定機能部１２０と、基地局算出機能部１３０と、基地局制御機能部１４０と、送信部１１２とを備えている。
【００６３】
受信部１１１は、移動局収容情報Ａを前記移動局から受信するとともに、通信品質情報Ｂと基地局情報Ｃを基地局から受信する。移動局収容情報Ａは、移動局２００が収容されているセルである収容セル、および収容セルに隣接するセルである隣接セルの情報を含む。通信品質情報Ｂは、移動局２００および基地局３００の間の通信品質に関する情報である。基地局情報Ｃは、基地局３００が移動局２００に送信する際の電波強度に関する情報である。
【００６４】
輻輳判定機能部１２０は、通信品質情報Ｂに基づいて、移動局２００および基地局３００の間の通信に輻輳が生じているか否かを判定する。
【００６５】
基地局算出機能部１３０は、輻輳判定機能部１２０により輻輳が生じていると判定されたとき、移動局収容情報Ａに基づいて、輻輳が生じている移動局である注目移動局の収容セルおよび隣接セルをセル情報として算出する。
【００６６】
基地局制御機能部１４０は、注目基地局２００および隣接基地局３００に対応する前記基地局情報を収集し、収集した基地局情報Ｃに基づいて、制御信号を生成する。注目基地局２００は、基地局算出機能部１３０により算出されたセル情報に含まれる収容セルに配置された基地局である。隣接基地局３００は、基地局算出機能部１３０により算出されたセル情報に含まれる隣接セルに配置された基地局である。制御信号は、注目基地局３００または隣接基地局３００が移動局２００に送信する際の電波強度をオペレーションシステム４００により制御するための信号である。
【００６７】
送信部１１２は、基地局制御機能部１４０により生成された制御信号をオペレーションシステム４００に送信する。
【００６８】
このような通信システム１０００であっても、前述したＴＣＰ最適化装置１００の効果と同様の効果を奏する。
【００６９】
また、本発明の実施の形態における通信最適化制御方法は、移動局２００と、移動局２００との間で通信を行う基地局３００と、基地局３００を制御するオペレーションシステム４００とに接続されたＴＣＰ最低化装置（通信最適化装置）１００の通信最適化制御方法である。通信最適化制御方法は、受信ステップと、輻輳判定ステップと、基地局算出ステップと、基地局制御ステップと、送信ステップとを含んでいる。
【００７０】
受信ステップでは、移動局収容情報Ａを前記移動局から受信するとともに、通信品質情報Ｂと基地局情報Ｃを基地局から受信する。移動局収容情報Ａ、通信品質情報Ｂおよび基地局情報Ｃは、前述の通りである。
【００７１】
輻輳判定ステップでは、通信品質情報Ｂに基づいて、移動局２００および基地局３００の間の通信に輻輳が生じているか否かを判定する。
【００７２】
基地局算出ステップでは、輻輳判定ステップで輻輳が生じていると判定されたとき、移動局収容情報Ａに基づいて、輻輳が生じている移動局である注目移動局の収容セルおよび隣接セルをセル情報として算出する。
【００７３】
基地局制御ステップでは、注目基地局２００および隣接基地局３００に対応する前記基地局情報を収集し、収集した基地局情報Ｃに基づいて、制御信号を生成する。注目基地局２００は、基地局算出ステップにより算出されたセル情報に含まれる収容セルに配置された基地局である。隣接基地局３００は、基地局算出ステップにより算出されたセル情報に含まれる隣接セルに配置された基地局である。制御信号は、注目基地局３００または隣接基地局３００が移動局２００に送信する際の電波強度をオペレーションシステム４００により制御するための信号である。
【００７４】
送信ステップでは、基地局制御ステップにより生成された制御信号をオペレーションシステム４００に送信する。
【００７５】
このような通信最適化制御方法であっても、前述したＴＣＰ最適化装置１００の効果と同様の効果を奏する。
【００７６】
また、本発明の実施の形態における通信最適化プログラムは、移動局２００と、移動局２００との間で通信を行う基地局３００と、基地局３００を制御するオペレーションシステム４００とに接続されたＴＣＰ最低化装置（通信最適化装置）１００の通信最適化を制御するプログラムである。通信最適化プログラムは、上述の受信ステップと、輻輳判定ステップと、基地局算出ステップと、基地局制御ステップと、送信ステップとを含む処理をコンピュータに行わせる。
【００７７】
このような通信最適化プログラムであっても、前述したＴＣＰ最適化装置１００の効果と同様の効果を奏する。
【００７８】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【００７９】
１００    ＴＣＰ最適化装置
１１０    ＯＰＳインターフェイス機能部
１１１    受信部
１１２    送信部
１２０    輻輳判定機能部
１３０    基地局算出機能部
１４０    基地局制御機能部
１５０    基地局情報記憶部
１６０    全国基地局位置情報記憶部
２００    移動局
３００    基地局
４００    オペレーションシステム
５００    コア通信網
６００    インターネット
１０００    通信システム
【図１】
2016225788.tif 000003
【図２】
2016225788.tif 000004
【図３】
2016225788.tif 000005